(57)【要約】【課題】構成が複雑化するのを抑制しながら、利用者がコンテンツを探す手間を省くことが可能な再生装置を提供する。【解決手段】ＢＤプレーヤ１００は、ＢＤ１５０のコンテンツを読み取る光ピックアップ１１と、コンテンツの再生を制御する制御部１６と、コンテンツのメタ情報をサーバ装置３０１に送信する通信部１５とを備える。通信部１５は、コンテンツの発売時期に基づいて作成される推奨コンテンツの一覧をサーバ装置３０１から受信し、制御部１６は、通信部１５により受信した推奨コンテンツの一覧を表示装置２００に表示させる。【選択図】図１
2010246022.tif 000002
【特許請求の範囲】
【請求項１】
コンテンツを取得する取得部と、
前記取得部により取得されたコンテンツの再生を制御する制御部と、を備えた再生装置において、
前記取得部により取得されたコンテンツに関連する情報をサーバ装置に送信する通信部をさらに備え、
前記通信部は、前記取得部により取得されたコンテンツの発売時期に基づいて作成される推奨コンテンツの一覧を前記サーバ装置から受信し、
前記制御部は、前記通信部により受信した推奨コンテンツの一覧を表示部に表示させる、ことを特徴とする再生装置。
【請求項２】
請求項１に記載の再生装置において、
前記サーバ装置には、コンテンツの期間毎の販売数量のランキングが記録されており、
前記推奨コンテンツの一覧は、前記取得部により取得されたコンテンツの発売時期と、前記期間毎の販売数量のランキングとに基づいて作成される、ことを特徴とする再生装置。
【請求項３】
請求項１または請求項２に記載の再生装置において、
前記制御部は、前記取得部により取得されたコンテンツの再生が終了した後に、前記推奨コンテンツの一覧を表示部に表示させる、ことを特徴とする再生装置。
【請求項４】
請求項１ないし請求項３のいずれかに記載の再生装置において、
前記コンテンツに関連する情報は、前記コンテンツの発売時期に関する情報を含む、ことを特徴とする再生装置。
【請求項５】
請求項１ないし請求項４のいずれかに記載の再生装置において、
前記制御部は、前記表示部に表示された推奨コンテンツの一覧からコンテンツが選択された場合に、選択されたコンテンツを前記通信部を介して注文する、ことを特徴とする再生装置。
【請求項６】
コンテンツを取得する取得部と、前記取得部により取得されたコンテンツの再生を制御する制御部と、通信部とを含む再生装置と、
制御部と、記憶部と、通信部とを含むサーバ装置と、を備えたコンテンツ紹介システムにおいて、
前記サーバ装置の記憶部には、コンテンツの期間毎の販売数量のランキングが記録され、
前記再生装置の通信部は、前記取得部により取得されたコンテンツに関連する情報をネットワークを介して前記サーバ装置に送信し、
前記サーバ装置の制御部は、前記取得部により取得されたコンテンツに関連する情報を前記通信部により受信した場合に、前記取得部により取得されたコンテンツの発売時期と、前記期間毎の販売数量のランキングとに基づいて推奨コンテンツの一覧を作成し、
前記サーバ装置の通信部は、その作成された推奨コンテンツの一覧をネットワークを介して前記再生装置に送信し、
前記再生装置の制御部は、前記通信部により前記推奨コンテンツの一覧を受信した場合に、前記推奨コンテンツの一覧を表示部に表示させる、ことを特徴とするコンテンツ紹介システム。
【発明の詳細な説明】
【技術分野】
【０００１】
本発明は、推奨コンテンツの一覧を利用者に提供する再生装置およびコンテンツ紹介システムに関する。
【背景技術】
【０００２】
従来、推奨コンテンツの一覧を利用者に提供するコンテンツ紹介システムが知られている（たとえば、特許文献１参照）。
【０００３】
上記特許文献１には、コンテンツを再生する端末と、端末にコンテンツを配信するセンタとにより構成されるコンテンツ紹介システムが開示されている。センタには、複数のコンテンツと、各コンテンツの作品評価情報とが記録されている。この作品評価情報は、電話回線などを介して端末に供給される。端末は、コンテンツの映像を表示するディスプレイと、利用者の嗜好を記憶する個人嗜好データベースと、類推手段と、フィルタ手段とを含む。
【０００４】
類推手段は、利用者の利用状況に基づいて、利用者の嗜好を類推するとともに、その類推結果に基づいて個人嗜好データベースの内容を更新する。フィルタ手段は、個人嗜好データベースの内容と、センタから供給される作品評価情報とに基づいて推奨コンテンツを選択する。ディスプレイには、フィルタ手段により選択された推奨コンテンツの一覧が表示される。
【０００５】
そして、コンテンツ紹介システムでは、利用者が推奨コンテンツの一覧からコンテンツを選択した場合に、選択されたコンテンツがセンタから配信され、そのコンテンツが端末のディスプレイに表示される。これにより、利用者が視聴したいコンテンツを探す手間を省くことが可能である。
【先行技術文献】
【特許文献】
【０００６】
【特許文献１】特開平９−４６６８９号公報
【発明の概要】
【発明が解決しようとする課題】
【０００７】
しかしながら、上記特許文献１に開示された従来のコンテンツ紹介システムでは、端末に個人嗜好データベース、類推手段、およびフィルタ手段などを設ける必要があり、端末の構成が複雑化するという問題点がある。
【０００８】
本発明は、上述した課題を解決するものであって、その目的とするところは、構成が複雑化するのを抑制しながら、利用者がコンテンツを探す手間を省くことが可能な再生装置およびコンテンツ紹介システムを提供することである。
【課題を解決するための手段】
【０００９】
本発明の再生装置は、コンテンツを取得する取得部と、取得部により取得されたコンテンツの再生を制御する制御部と、を備えた再生装置において、取得部により取得されたコンテンツに関連する情報をサーバ装置に送信する通信部をさらに備え、通信部は、取得部により取得されたコンテンツの発売時期に基づいて作成される推奨コンテンツの一覧をサーバ装置から受信し、制御部は、通信部により受信した推奨コンテンツの一覧を表示部に表示させる。
【００１０】
このように構成することによって、推奨コンテンツの一覧が表示部に表示されることにより、利用者がコンテンツを探す手間を省くことができる。また、推奨コンテンツの一覧をサーバ装置から受信することにより、上記特許文献１のように推奨コンテンツの一覧を作成するための構成を備える場合に比べて、構成が複雑化するのを抑制することができる。
【００１１】
上記再生装置において、サーバ装置には、コンテンツの期間毎の販売数量のランキングが記録されており、推奨コンテンツの一覧は、取得部により取得されたコンテンツの発売時期と、期間毎の販売数量のランキングとに基づいて作成されてもよい。
【００１２】
このように構成すれば、取得部により取得されたコンテンツが古い場合に、取得部により取得されたコンテンツの発売当時に人気のあったコンテンツを推奨コンテンツとする一覧を利用者に提供することができる。
【００１３】
上記再生装置において、制御部は、取得部により取得されたコンテンツの再生が終了した後に、推奨コンテンツの一覧を表示部に表示させるようにしてもよい。
【００１４】
このように構成すれば、コンテンツの再生が終了した後に、そのコンテンツの発売時期と関連する推奨コンテンツの一覧を利用者に提供することができる。
【００１５】
上記再生装置において、コンテンツに関連する情報は、コンテンツの発売時期に関する情報を含んでいてもよい。
【００１６】
上記再生装置において、制御部は、表示部に表示された推奨コンテンツの一覧からコンテンツが選択された場合に、選択されたコンテンツを通信部を介して注文するようにしてもよい。
【００１７】
また、本発明のコンテンツ紹介システムは、コンテンツを取得する取得部と、取得部により取得されたコンテンツの再生を制御する制御部と、通信部とを含む再生装置と、制御部と、記憶部と、通信部とを含むサーバ装置と、を備えたコンテンツ紹介システムにおいて、サーバ装置の記憶部には、コンテンツの期間毎の販売数量のランキングが記録されている。そして、再生装置の通信部は、取得部により取得されたコンテンツに関連する情報をネットワークを介してサーバ装置に送信し、サーバ装置の制御部は、取得部により取得されたコンテンツに関連する情報を通信部により受信した場合に、取得部により取得されたコンテンツの発売時期と、期間毎の販売数量のランキングとに基づいて推奨コンテンツの一覧を作成し、サーバ装置の通信部は、その作成された推奨コンテンツの一覧をネットワークを介して再生装置に送信し、再生装置の制御部は、通信部により推奨コンテンツの一覧を受信した場合に、推奨コンテンツの一覧を表示部に表示させる。
【００１８】
このように構成することによって、推奨コンテンツの一覧が表示部に表示されることにより、利用者がコンテンツを探す手間を省くことができる。また、コンテンツの発売時期と、期間毎の販売数量のランキングとに基づいて推奨コンテンツの一覧を作成することにより、上記特許文献１のように利用者の再生履歴に基づいて推奨コンテンツの一覧を作成する場合に比べて、構成が複雑化するのを抑制することができる。また、取得部により取得されたコンテンツが古い場合に、取得部により取得されたコンテンツの発売当時に人気のあったコンテンツを推奨コンテンツとする一覧を利用者に提供することができる。
【発明の効果】
【００１９】
本発明によれば、構成が複雑化するのを抑制しながら、利用者がコンテンツを探す手間を省くことが可能な再生装置およびコンテンツ紹介システムを提供することができる。
【図面の簡単な説明】
【００２０】
【図１】本発明の一実施形態によるＢＤプレーヤの全体構成を示したブロック図である。
【図２】サーバ装置に記録された期間毎の販売数量のランキングを説明するための図である。
【図３】図１のＢＤプレーヤのコンテンツの再生時の動作を説明するためのフローチャートである。
【図４】表示装置に注文画面が表示された状態を示した図である。
【発明を実施するための形態】
【００２１】
以下、本発明の実施形態について、図面を参照しながら説明する。なお、以下の実施形態では、再生装置の一例であるＢＤ（Blu-ray（登録商標） Disc）プレーヤに本発明を適用した場合について説明する。
【００２２】
まず、図１を参照して、本発明の一実施形態によるＢＤプレーヤ１００の構成について説明する。
【００２３】
本実施形態によるＢＤプレーヤ１００は、図１に示すように、表示装置２００が接続されるプレーヤ本体１と、プレーヤ本体１を遠隔操作するリモコン２とを備えている。
【００２４】
プレーヤ本体１は、光ピックアップ１１と、信号処理部１２と、出力インターフェース（以下、「出力Ｉ／Ｆ」という）１３と、受信部１４と、通信部１５と、制御部１６とを含んでおり、これらはバス１ａを介して接続されている。なお、光ピックアップ１１は、本発明の「取得部」の一例である。
【００２５】
光ピックアップ１１は、レーザ光源や受光部などを有しており、ＢＤ１５０に記録されたコンテンツの信号を読み取り（取得し）、その読み取られた信号を信号処理部１２に出力する。信号処理部１２は、デコーダ回路やＯＳＤ（On-Screen Display）回路などを有しており、光ピックアップ１１から入力された信号に対して所定の処理を施す。そして、信号処理部１２は、所定の処理が施された信号を出力Ｉ／Ｆ１３に出力する。
【００２６】
出力Ｉ／Ｆ１３は、たとえば、ＨＤＭＩ（High-Definition Multimedia Interface）端子であり、信号処理部１２から入力された信号を表示装置２００に出力する。表示装置２００は、たとえば、液晶テレビジョン受像機であり、プレーヤ本体１から出力された信号に基づいて映像などを表示する。なお、表示装置２００は、本発明の「表示部」の一例である。
【００２７】
受信部１４は、フォトダイオードなどを含み、リモコン２から出力されるリモコン信号を受信する。通信部１５は、ＬＡＮカードなどを有しており、ネットワーク３００を介してサーバ装置３０１および３０２と通信する。なお、ＢＤプレーヤ１００と、サーバ装置３０１とによりコンテンツ紹介システム５００が構成されている。
【００２８】
制御部１６は、ＣＰＵ、ＲＯＭ、およびＲＡＭなどを有しており、プレーヤ本体１の動作を制御する。具体的には、制御部１６は、光ピックアップ１１により読み取られたＢＤ１５０の再生を制御したり、後述する注文画面Ｗ（図４参照）の表示を制御する。また、制御部１６は、サーバ装置３０１および３０２との通信を制御する。
【００２９】
リモコン２は、利用者からの操作指令を受け付ける操作ボタンや、操作指令に応じてリモコン信号を発信する発信部などを有する。
【００３０】
サーバ装置３０１は、ＢＤプレーヤ１００に推奨コンテンツの一覧を提供する機能を有する。このサーバ装置３０１は、ＣＰＵ、ＲＯＭ、およびＲＡＭなどを有する制御部３０１ａと、ハードディスクなどを有する記憶部３０１ｂと、ＬＡＮカードなどを有する通信部３０１ｃとを含んでいる。記憶部３０１ｂには、コンテンツの一覧と、コンテンツの期間毎の販売数量のランキングとが記録されている。なお、記憶部３０１ｂには、コンテンツの内容（コンテンツ自体）は記録されていない。また、期間毎の販売数量のランキングとは、たとえば、図２に示すような一週間毎の販売数量を多い順に順位付けしたリストである。
【００３１】
サーバ装置３０２は、ＢＤプレーヤ１００からの注文を受け付ける機能を有する。このサーバ装置３０２は、ＣＰＵ、ＲＯＭ、およびＲＡＭなどを有する制御部３０２ａと、ハードディスクなどを有する記憶部３０２ｂと、ＬＡＮカードなどを有する通信部３０２ｃとを含んでいる。記憶部３０２ｂには、コンテンツの内容と、コンテンツの商品情報とが記録されている。なお、コンテンツの商品情報とは、コンテンツの価格、概要、およびジャケット画像などの情報である。
【００３２】
次に、図１〜図４を参照して、本実施形態によるＢＤプレーヤ１００のコンテンツの再生時の動作について説明する。なお、このフローチャートにおいて、ＢＤプレーヤ１００、サーバ装置３０１および３０２の各ステップは、それぞれ、制御部１６、３０１ａおよび３０２ａにより実行される。また、ＢＤプレーヤ１００、サーバ装置３０１および３０２では、それぞれ、以下の動作が繰り返し行われる。
【００３３】
まず、ＢＤプレーヤ１００（図１参照）では、図３のステップＳ１において、ＢＤ１５０（図１参照）の再生が開始されたか否かが判断される。具体的には、利用者によりリモコン２（図１参照）が操作されることによって、受信部１４（図１参照）が所定のリモコン信号を受信したか否かが判断される。そして、ＢＤ１５０の再生が開始されていないと判断された場合には、ステップＳ１が繰り返し行われる。すなわち、ＢＤプレーヤ１００は、ＢＤ１５０の再生が開始されるまで待機する。そして、ＢＤ１５０の再生が開始されたと判断された場合には、ステップＳ２に移る。このとき、光ピックアップ１１（図１参照）がＢＤ１５０のコンテンツを読み取り、その読み取られたコンテンツが出力Ｉ／Ｆ１３（図１参照）から出力されることにより、コンテンツが表示装置２００（図１参照）に表示される。
【００３４】
次に、ステップＳ２において、光ピックアップ１１により、再生が開始されたコンテンツに関連する情報（メタ情報）が取得される。なお、メタ情報には、コンテンツのタイトル名や、コンテンツの発売時期などの情報が含まれている。そして、ステップＳ３において、通信部１５（図１参照）により、取得されたメタ情報がネットワーク３００を介してサーバ装置３０１（図１参照）に送信される。
【００３５】
サーバ装置３０１では、ステップＳ２１において、通信部３０１ｃ（図１参照）により、ネットワーク３００を介してＢＤプレーヤ１００からメタ情報を受信したか否かが判断される。メタ情報を受信していないと判断された場合には、ステップＳ２１が繰り返し行われる。すなわち、サーバ装置３０１は、メタ情報を受信するまで待機する。そして、メタ情報を受信したと判断された場合には、ステップＳ２２に移る。
【００３６】
次に、ステップＳ２２において、通信部３０１ｃにより受信したメタ情報に含まれるコンテンツの発売時期と、記憶部３０１ｂ（図１参照）に記録された期間毎の販売数量のランキングとに基づいて、推奨コンテンツの一覧が作成される。すなわち、推奨コンテンツの一覧は、ＢＤ１５０の発売時期における販売数量のランキングにより作成される。たとえば、ＢＤ１５０の発売時期が「○年○月第１週」であれば、図２に示すように、「コンテンツ１」、「コンテンツ２」、および「コンテンツ３」を推奨コンテンツとして一覧が作成される。そして、ステップＳ２３において、通信部３０１ｃにより、作成された推奨コンテンツの一覧がネットワーク３００を介してＢＤプレーヤ１００に送信される。
【００３７】
ＢＤプレーヤ１００では、ステップＳ４において、推奨コンテンツの一覧を通信部１５が受信したか否かが判断される。推奨コンテンツの一覧を受信していないと判断された場合には、ステップＳ４が繰り返し行われる。そして、推奨コンテンツの一覧を受信したと判断された場合には、ステップＳ５に移る。
【００３８】
次に、ステップＳ５において、通信部１５により、推奨コンテンツの商品情報をネットワーク３００を介してサーバ装置３０２（図１参照）に要求する。
【００３９】
サーバ装置３０２では、ステップＳ４１において、推奨コンテンツの商品情報が要求されたか否かが判断される。そして、推奨コンテンツの商品情報が要求されたと判断された場合には、ステップＳ４２において、通信部３０２ｃ（図１参照）により、記憶部３０２ｂ（図１参照）に記録された推奨コンテンツの商品情報をＢＤプレーヤ１００に送信する。その一方、推奨コンテンツの商品情報が要求されていないと判断された場合には、ステップＳ４３に移る。
【００４０】
ＢＤプレーヤ１００では、ステップＳ６において、通信部１５により、推奨コンテンツの商品情報を受信したか否かが判断される。推奨コンテンツの商品情報を受信していないと判断された場合には、ステップＳ６が繰り返し行われる。そして、推奨コンテンツの商品情報を受信したと判断された場合には、ステップＳ７に移る。
【００４１】
次に、ステップＳ７において、ＢＤ１５０の再生が終了したか否かが判断される。ＢＤ１５０の再生が終了していないと判断された場合には、ステップＳ７が繰り返し行われる。そして、ＢＤ１５０の再生が終了したと判断された場合には、ステップＳ８に移る。なお、ＢＤ１５０の再生が終了した場合には、ＢＤ１５０のコンテンツが最後まで再生されることにより、自動的に再生が終了する場合に加えて、利用者がリモコン２を操作することにより、ＢＤ１５０の再生が停止される場合を含む。
【００４２】
次に、ステップＳ８において、信号処理部１２（図１参照）により生成された注文画面Ｗが表示装置２００に表示される。このとき、注文画面Ｗには、たとえば、図４に示すように、推奨コンテンツの一覧Ｌ（図４では、「コンテンツ１」、「コンテンツ２」、「コンテンツ３」）が表示されるとともに、価格情報Ｐ（図４では、「○○○円」、「×××円」、「△△△円」）が表示される。また、この注文画面Ｗには、推奨コンテンツを注文することなく注文画面Ｗを閉じるための項目Ｎ（図４では、「注文しない」）が表示される。なお、推奨コンテンツの一覧Ｌは、サーバ装置３０１から受信した推奨コンテンツの一覧に基づいて表示されるとともに、価格情報Ｐは、サーバ装置３０２から受信した商品情報に基づいて表示される。そして、注文画面Ｗでは、利用者がリモコン２を用いてカーソルＣを操作することにより、「コンテンツ１」、「コンテンツ２」、「コンテンツ３」、および、「注文しない」のいずれかを選択することが可能である。
【００４３】
次に、ステップＳ９において、推奨コンテンツの一覧からコンテンツが選択されたか否かが判断される。図４の例では、「コンテンツ１」、「コンテンツ２」、「コンテンツ３」のいずれかが選択されたか否かが判断される。そして、推奨コンテンツの一覧からコンテンツが選択されたと判断された場合には、ステップＳ１０に移る。その一方、推奨コンテンツの一覧からコンテンツが選択されていないと判断された場合、たとえば、「注文しない」が選択されたと判断された場合には、注文画面Ｗが閉じられ、ＢＤプレーヤ１００の再生時の動作が終了する。
【００４４】
次に、ステップＳ１０において、選択されたコンテンツを通信部１５およびネットワーク３００を介してサーバ装置３０２に注文する。なお、コンテンツの注文とは、たとえば、コンテンツのネットワーク３００を介した提供（ダウンロードまたはストリーミング）を申し込むことをいう。
【００４５】
サーバ装置３０２では、ステップＳ４３において、コンテンツが注文されたか否かが判断される。そして、コンテンツが注文されたと判断された場合には、ステップＳ４４において、注文されたコンテンツが通信部３０２ｃおよびネットワーク３００を介して提供される。その一方、コンテンツが注文されていないと判断された場合には、ステップＳ４１に戻る。
【００４６】
本実施形態では、上記のように、推奨コンテンツの一覧Ｌを表示装置２００に表示することによって、利用者がコンテンツを探す手間を省くことができる。また、推奨コンテンツの一覧をサーバ装置３０１から受信することによって、推奨コンテンツの一覧を作成するための構成を備える場合に比べて、ＢＤプレーヤ１００の構成が複雑化するのを抑制することができる。
【００４７】
また、本実施形態では、ＢＤ１５０の発売時期と、コンテンツの期間毎の販売数量のランキングとに基づいて推奨コンテンツの一覧を作成することによって、利用者の再生履歴に基づいて推奨コンテンツの一覧を作成する場合に比べて、サーバ装置３０１の構成が複雑化するのを抑制することができる。また、ＢＤ１５０の発売時期における販売数量のランキングにより推奨コンテンツの一覧を作成することによって、ＢＤ１５０が古い場合に、ＢＤ１５０の発売当時に人気のあったコンテンツを推奨コンテンツとする一覧を利用者に提供することができる。
【００４８】
また、本実施形態では、メタ情報をサーバ装置３０１に送信するとともに、サーバ装置３０１により作成された推奨コンテンツの一覧を受信することによって、サーバ装置３０１からコンテンツの一覧を全て受信した後、推奨コンテンツを選択する場合に比べて、ネットワーク３００の帯域に負荷がかかるのを抑制することができる。
【００４９】
また、本実施形態では、推奨コンテンツの商品情報をサーバ装置３０２から取得し、推奨コンテンツの一覧Ｌとともに、価格情報Ｐを表示することによって、利用者がコンテンツを注文するか否かを判断しやすくすることができる。
【００５０】
また、本実施形態では、ＢＤ１５０の再生が終了した後に、推奨コンテンツの一覧を表示することによって、ＢＤ１５０の再生が終了した後に、そのＢＤ１５０の発売時期と関連する推奨コンテンツの一覧を利用者に提供することができる。
【００５１】
また、本実施形態では、サーバ装置３０１に送信されるメタ情報にコンテンツの発売時期が含まれることによって、サーバ装置３０１が容易に、ＢＤ１５０の発売時期における販売数量のランキングにより推奨コンテンツの一覧を作成することができる。
【００５２】
本発明は、上述した以外にも種々の実施形態を採用することができる。たとえば、上記実施形態では、再生装置の一例であるＢＤプレーヤ１００に本発明を適用する例を示したが、これに限らず、ハードディスクレコーダなどのその他の再生装置に本発明を適用してもよい。この場合、ハードディスクに記録されたコンテンツが再生された後に推奨コンテンツの一覧が表示されるようにしてもよい。
【００５３】
また、上記実施形態では、ＢＤ１５０の再生が開始された場合に、推奨コンテンツの一覧が要求される例を示したが、これに限らず、ネットワーク３００を介して提供されたコンテンツが再生された場合に、推奨コンテンツの一覧が要求されるようにしてもよい。すなわち、上記実施形態では、本発明の取得部の一例として光ピックアップ１１を示したが、これに限らず、通信部１５が取得部として機能するようにしてもよい。
【００５４】
また、上記実施形態では、ＢＤプレーヤ１００に推奨コンテンツの一覧を提供するサーバ装置３０１と、ＢＤプレーヤ１００からの注文を受け付けるサーバ装置３０２とが設けられる例を示したが、これに限らず、ＢＤプレーヤ１００に推奨コンテンツの一覧を提供するとともに、ＢＤプレーヤ１００からの注文を受け付ける１つのサーバ装置が設けられていてもよい。
【００５５】
また、上記実施形態では、メタ情報にコンテンツの発売時期が含まれる例を示したが、これに限らず、メタ情報にコンテンツの発売時期が含まれていなくてもよい。この場合には、サーバ装置３０１がコンテンツのタイトル名などに基づいて、コンテンツの発売時期を判断するようにすればよい。
【００５６】
また、上記実施形態では、ＢＤ１５０の発売時期における販売数量のランキングにより推奨コンテンツの一覧を作成する例を示したが、これに限らず、たとえば、ＢＤ１５０の発売時期における販売数量のランキングと、コンテンツのジャンルなどとにより、推奨コンテンツの一覧を作成するようにしてもよい。
【００５７】
また、上記実施形態では、推奨コンテンツの商品情報をサーバ装置３０２に要求する例を示したが、これに限らず、サーバ装置３０１の記憶部３０１ｂにコンテンツの商品情報が記録されており、サーバ装置３０１から推奨コンテンツの一覧が送信される際に、推奨コンテンツの商品情報も同時に送信されるようにしてもよい。このようにすれば、ＢＤプレーヤ１００は、推奨コンテンツの商品情報をサーバ装置３０２に要求することなく、推奨コンテンツの商品情報を取得することができる。
【００５８】
また、上記実施形態では、ＢＤ１５０の再生が終了した後に、推奨コンテンツの一覧を表示する例を示したが、これに限らず、ディスクトレイ（図示省略）に載置されたＢＤ１５０がＢＤプレーヤ１００から排出される際に、推奨コンテンツの一覧を表示するようにしてもよい。また、利用者がリモコン２を操作することにより、推奨コンテンツの一覧が表示されるようにしてもよい。
【００５９】
また、上記実施形態において、ＢＤプレーヤ１００がコンテンツを注文する際に、コンテンツを注文したという情報をサーバ装置３０１に送信するようにしてもよいし、サーバ装置３０２が注文を受け付けた際に、コンテンツが注文されたという情報をサーバ装置３０１に送信するようにしてもよい。この場合、サーバ装置３０１がＢＤプレーヤ１００（利用者）を識別可能に構成することにより、その後提供される推奨コンテンツの一覧から注文されたコンテンツを除外することが可能である。
【００６０】
また、上記実施形態では、注文画面Ｗに価格情報Ｐが表示される例を示したが、これに限らず、注文画面Ｗにコンテンツの概要やジャケット画像などのその他の商品情報が表示されるようにしてもよい。このように構成すれば、利用者がコンテンツを注文するか否かをより判断しやすくすることができる。
【００６１】
また、上記実施形態では、ステップＳ１０において、ネットワーク３００を介してコンテンツの提供を申し込む例を示したが、これに限らず、コンテンツが記録された記憶媒体の購入または賃貸（レンタル）を申し込むようにしてもよい。この場合において、サーバ装置３０２においてコンテンツが注文されたと判断された場合には、サーバ装置３０２の管理者などによりコンテンツが記録された記憶媒体が利用者に発送される。
【００６２】
また、上記実施形態において、サーバ装置３０１がＢＤプレーヤ１００のファームウェアを配信するようにしてもよい。
【符号の説明】
【００６３】
１１      光ピックアップ（取得部）
１５      通信部
１６      制御部
１００    ＢＤプレーヤ（再生装置）
２００    表示装置（表示部）
３００    ネットワーク
３０１    サーバ装置
３０１ａ  制御部
３０１ｂ  記憶部
３０１ｃ  通信部
５００    コンテンツ紹介システム
【図１】
2010246022.tif 000003
【図２】
2010246022.tif 000004
【図３】
2010246022.tif 000005
【図４】
2010246022.tif 000006